(57)【要約】      （修正有）【課題】自分好みの姿勢で操作ハンドルが操作できる弾球遊技機を提供する。【解決手段】電動打球装置１３は、打球部材１７に打球動作を行わせる動力部材１８を有し、打力調節装置１４は、初期停止位置から回転させ得る操作ハンドル１４０と、その回転を伝達する回転軸１４１と、その回転を受けて電動打球装置１３の打力を変更する調節部材１４２とを備えた遊技機１において、打力調節装置１４は操作ハンドル１４０の回転が回転軸１４１を介して調節部材１４２に伝達されて電動打球装置１３が変更される接続状態と、操作ハンドル１４０の回転が伝達されずに操作ハンドル１４０を回しても電動打球装置１３が変更されない遮断状態とを択一的に切替え得るようにした回転断続手段１４３を備えており、その回転断続手段１４３が遮断状態のとき操作ハンドル１４０を回転させて接続状態に切替えることにより初期停止位置がその位置に変更されるようにした。【選択図】図３
2014069005.tif 000002
【特許請求の範囲】
【請求項１】
室内の遊技機設置部に固定的に取り付けられる固定部材と、
該固定部材の前面に開閉可能に取り付けられると共に遊技者が遊技を行うための遊技領域を有する前面部材と、
前記遊技領域に遊技球を打ち込む電動打球装置と、
該電動打球装置の打力を調節する打力調節装置と、を備えており、
前記電動打球装置は、
発射位置にある遊技球を前記遊技領域に向けて打ち出す打球部材と、
該打球部材に打球動作を行わせる動力部材と、を有し、
前記打力調節装置は、
前記前面部材の前面側に初期停止位置から所定角度回転させ得るように配設された操作ハンドルと、
該操作ハンドルの回転を前記前面部材の裏側に伝達する回転軸と、
前記回転軸の回転を受けて前記電動打球装置の打力を変更する調節部材と、を備えたものである弾球遊技機において、
前記打力調節装置は、
前記操作ハンドルの回転が前記回転軸を介して前記調節部材に伝達されて前記電動打球装置の打力が変更される接続状態と、同じく操作ハンドルの回転が前記調節部材に伝達されずに該操作ハンドルを回しても前記電動打球装置の打力が変更されない遮断状態と、を択一的に選択して切り替え得るようにした回転断続手段を備えており、
該回転断続手段が前記遮断状態のとき、前記操作ハンドルを任意の角度回転させてその状態で前記接続状態に切り替えることにより、該操作ハンドルの前記初期停止位置がその位置に変更されるようにしたことを特徴とする弾球遊技機。
【請求項２】
前記打力調節装置の前記回転断続手段は、前記操作ハンドルと前記回転軸との間に設けたクラッチであることを特徴とする請求項１記載の弾球遊技機。
【請求項３】
前記打力調節装置の前記回転断続手段は、
前記操作ハンドルを回転可能に支持する一方前記調節部材を固定的に支持し且つ自身も前記前面部材に回転可能に支持されたハンドル支持部材と、
そのハンドル支持部材と前記前面部材とを連結して該ハンドル支持部材の回転を止める前記接続状態と、前記連結を解除してハンドル支持部材の回転を可能としそうして調節部材と操作ハンドルとが前記ハンドル支持部材を介して一体に回転する前記遮断状態と、に切り替え得る遊技者操作用の切替部材と、を備えていることを特徴とする請求項１記載の弾球遊技機。
【発明の詳細な説明】
【技術分野】
【０００１】
本発明は、遊技領域に遊技球を打ち込んで遊技を行う弾球遊技機に関する。
【背景技術】
【０００２】
弾球遊技機の一例をパチンコ機について説明する。
周知のようにパチンコ機は、遊技場等の室内の遊技機設置部（「遊技機設置島」ともいう。）に固定的に取り付けられる固定部材（「外枠」ともいう。）と、該外枠の前面（以下、原則として遊技者に向かう側を「前」又は「表」、反対側を「後」又は「裏」という。）に片開きの扉のごとく開閉可能に取り付けられる前面部材（「前枠」ともいう。）を備えており、遊技者が前枠側に装着された遊技板の遊技領域に向けて遊技球（一般に「パチンコ球」という。）を発射させ、その遊技球が遊技領域の入賞口に入った場合、景品として複数個の遊技球を機前の球皿に放出し、一方、遊技球が入賞しなかった場合、その遊技球をアウト球として機裏に回収するものである。
【０００３】
パチンコ機には、遊技板の遊技領域に向けて遊技球を打ち込む電動打球装置と、該電動打球装置の打力の強弱を調節する打力調節装置と、が設けられている。前記電動打球装置は、発射レールに供給された遊技球を一個ずつ打ち出す揺動自在なハンマー状の打球部材と、該打球部材に打球動作を行わせる動力部材（例えば、電動モータと回転カムと牽引バネの周知の組み合わせや、ロータリーソレノイド等）で構成されており、一方、打力調節装置は、前記電動打球装置の動力部材を調節（例えば、牽引バネの張力の増減、或は前記ロータリーソレノイドの電気抵抗値の増減）することで打球部材の打力を調節する。
【０００４】
前記打力調節装置は、一般的に、前枠の前面下方に取り付けられた基部と、該基部に形成された軸筒部を前後方向に貫いて前枠の前側から後側に至る回転自在な回転軸と、該回転軸の前端に固着されて所定範囲内で正逆方向に回転可能な操作ハンドルと、前記回転軸の後端に固着されて前記操作ハンドルと一体に回転可能なプーリーと、前記基部の前端に固着されて前記操作ハンドルを覆う碗状カバー体と、で概略構成され、前記電動打球装置の例えば牽引バネを前記プーリーの正逆回転動作で伸縮させて弾発力を増減させる、というように前記操作ハンドルの往復回転動作で打球部材の打力が変更されるようになっている。
【先行技術文献】
【特許文献】
【０００５】
【特許文献１】特開平６−１８２０２９号公報
【特許文献１】実開昭６１−６０９８３号公報
【発明の概要】
【発明が解決しようとする課題】
【０００６】
打力調節装置の操作ハンドルは、遊技開始前の状態において所定の初期停止位置（角度）に停止している。その初期停止位置にある操作ハンドルを通常右手で握って時計回りに捻ると、電動打球装置が作動して遊技球が遊技領域に打ち出される。その状態で操作ハンドルの回転角を適宜増減して打力を調節することにより、遊技領域の狙ったポイントに遊技球を打ち込むことができる。
【０００７】
しかして、殆どの遊技者は、遊技球が狙ったポイントに達するようになると操作ハンドルをその位置に保とうとするが、そのときの手を捻った姿勢が遊技者の好みの姿勢、つまり最もリラックスできる姿勢ではない場合、疲れの度合いが大きくなる問題があった。
【０００８】
本発明は、上記に鑑みなされたもので、その目的は、遊技者が自分の好みにあった姿勢で操作ハンドルを操作することができる弾球遊技機を提供することにある。
【課題を解決するための手段】
【０００９】
上記の目的を達成するため本発明は、
室内の遊技機設置部に固定的に取り付けられる固定部材と、
該固定部材の前面に開閉可能に取り付けられると共に遊技者が遊技を行うための遊技領域を有する前面部材と、
前記遊技領域に遊技球を打ち込む電動打球装置と、
該電動打球装置の打力を調節する打力調節装置と、を備えており、
前記電動打球装置は、
発射位置にある遊技球を前記遊技領域に向けて打ち出す打球部材と、
該打球部材に打球動作を行わせる動力部材と、を有し、
前記打力調節装置は、
前記前面部材の前面側に初期停止位置から所定角度回転させ得るように配設された操作ハンドルと、
該操作ハンドルの回転を前記前面部材の裏側に伝達する回転軸と、
前記回転軸の回転を受けて前記電動打球装置の打力を変更する調節部材と、を備えたものである弾球遊技機において、
前記打力調節装置は、
前記操作ハンドルの回転が前記回転軸を介して前記調節部材に伝達されて前記電動打球装置の打力が変更される接続状態と、同じく操作ハンドルの回転が前記調節部材に伝達されずに該操作ハンドルを回しても前記電動打球装置の打力が変更されない遮断状態と、を択一的に選択して切り替え得るようにした回転断続手段を備えており、
該回転断続手段が前記遮断状態のとき、前記操作ハンドルを任意の角度回転させてその状態で前記接続状態に切り替えることにより、該操作ハンドルの前記初期停止位置がその位置に変更される弾球遊技機を提供する。
【００１０】
また、請求項２に記載したように、前記打力調節装置の前記回転断続手段は、前記操作ハンドルと前記回転軸との間に設けたクラッチである請求項１記載の弾球遊技機を提供する。
【００１１】
また、請求項３に記載したように、前記打力調節装置の前記回転断続手段は、
前記操作ハンドルを回転可能に支持する一方前記調節部材を固定的に支持し且つ自身も前記前面部材に回転可能に支持されたハンドル支持部材と、
そのハンドル支持部材と前記前面部材とを連結して該ハンドル支持部材の回転を止める前記接続状態と、前記連結を解除してハンドル支持部材の回転を可能としそうして調節部材と操作ハンドルとが前記ハンドル支持部材を介して一体に回転する前記遮断状態と、に切り替え得る遊技者操作用の切替部材と、を備えている請求項１記載の弾球遊技機を提供する。
【発明の効果】
【００１２】
本発明の弾球遊技機は、回転断続手段を遮断状態にすると、操作ハンドルの回転が調節部材に伝達されないから、その遮断状態で操作ハンドルを任意量回転させても調節部材は初期停止位置から動かない。したがって、その回転状態で回転断続手段を接続状態に切り替えると、初期停止位置にある調節部材と回転させた操作ハンドルとが連結されるから、回転後の操作ハンドルのその位置が新たな初期停止位置となる。したがって遊技者は、遊技に先立ち、操作ハンドルの初期停止位置を適宜調節することで、操作ハンドルの最適打力位置を自身が最もリラックスできる好みの姿勢で保持することが可能となり、遊技による腕の疲れを最小限に抑えることができる。
【図面の簡単な説明】
【００１３】
【図１】弾球遊技機の要部を示す一部拡大正面図である。
【図２】弾球遊技機の正面図である。
【図３】弾球遊技機の要部を示す一部拡大横断面図である。
【図４】弾球遊技機の要部を示すもので、（ａ）は回転断続手段を接続状態にした一部拡大縦断面図、（ｂ）は回転断続手段を遮断状態にした一部拡大縦断面図である。
【図５】実施形態２の弾球遊技機の要部を示す一部拡大正面図である。
【図６】実施形態２の弾球遊技機の要部を示す一部拡大縦断面図である。
【発明を実施するための形態】
【００１４】
［実施形態１］
以下に本発明の実施形態１を弾球遊技機の一例たるパチンコ機を例に図１〜図４を参照しつつ説明する。
【００１５】
［パチンコ機］
パチンコ機１は、図２に示したように、四角く枠組みされた外枠２と、該外枠２の前面に開閉（回動）可能に取り付けられた前枠３と、を有する。ここで、外枠２は、遊技場等の室内の遊技機設置部たる遊技機設置島（図示せず）に固定的に取り付けられる固定部材に相当し、また、前枠３は、固定部材の前面に開閉可能に取り付けられる前面部材に相当する。
【００１６】
前枠３の前面には、ガラスや合成樹脂の透明板を装着した回動可能な窓部４と、その窓部４の下側に上球皿５と下球皿６を有する前面装飾部材７が取り付けられている。
また、前枠３には、前記窓部４の後方で該窓部４と対向する位置に遊技盤８が着脱可能な状態に取り付けられている。そして、その遊技盤８には、ガイドレール９でほぼ円形に囲われた遊技領域１０が形成されており、その遊技領域１０が前枠３の前記窓部４を透して遊技者から見えるようになっている。
さらにまた、前枠３の後側には、遊技盤８の下側であって該遊技盤８の前面と面一の垂直面を構成するように発射基板（図示せず）が設けられており、該発射基板の前面に発射レール１１が取り付けられている。
【００１７】
パチンコ機１は、前記上球皿５にある遊技球を遊技者が遊技領域１０に打ち込み、その遊技球が遊技領域１０に設けられている入賞口１２に入ると景品球（遊技球と同じ）が上球皿５に複数個放出され、一方、入賞口１２に入賞しなかった遊技球がアウト球として機裏に排出（回収）されるようになっている。
したがってパチンコ機１には、遊技盤８の遊技領域１０に向けて遊技球を打ち込む電動打球装置１３と、該電動打球装置１３の打力の強弱を調節する打力調節装置１４が設けられている。
【００１８】
［電動打球装置］
電動打球装置１３は、図３に示したように、前枠３の後側下方に該前枠３の後面との間に空間１５を設けて固着した金属製のベース基板１６と、上球皿５から発射レール１１の発射位置１１ｓに遊技球を供給する球供給装置（図示せず）と、その球供給装置によって供給される遊技球を打ち出す打球部材１７と、該打球部材１７に打球動作を行わせる動力部材１８と、により概略構成される。
【００１９】
前記打球部材１７は、ベース基板１６と前枠３後面との間の前記空間１５内にベース基板１６側の揺動軸１９で揺動自在に軸着されており、その上端に発射レール１１の発射位置１１ｓに臨む弾性的なハンマー頭部１７ｈを備えている。
一方、前記動力部材１８は、ベース基板１６に固着された電動モータ１８ａと、該電動モータ１８ａの駆動力で回転して打球部材１７を傾動させる回転カム１８ｂと、打球部材１７を打球方向に付勢する牽引バネ（図示せず）と、の周知の組合せで構成される。
【００２０】
［打力調節装置］
打力調節装置１４は、前枠３の前側に初期停止位置から一定範囲の角度で回転させ得るように配設された操作ハンドル１４０と、該操作ハンドル１４０の回転を前枠３の裏側に伝達する回転軸１４１と、該回転軸１４１の回転を受けて電動打球装置１３の打力を変更する調節部材１４２と、回転断続手段１４３（詳細は後述する。）と、を備えている。
【００２１】
［打力調節装置−操作ハンドル］
前記操作ハンドル１４０は、Ｔ型レバー形状であって、前枠３に取り付けられたハンドル支持部材２０の軸筒部２０ａ先端に回転可能に遊嵌された丸棒状の軸部１４０ａと、その軸部１４０ａの先端に該軸部１４０ａと直交する向きに形成された棒状の握り部１４０ｂと、からなる。この操作ハンドル１４０は、遊技開始前の初期停止位置にあるとき、図１実線のように握り部１４０ｂがほぼ水平になるように初期設定されている。
【００２２】
［打力調節装置−回転軸］
前記回転軸１４１は、図３，図４（ａ），（ｂ）に示したように、前記ハンドル支持部材２０の軸筒部２０ａに回転可能に装着されており、前半部を小径部１４１ａ、後半部を大径部１４１ｂとした金属製の段付き軸と、大径部１４１ｂの外周を囲うように一体成形された樹脂軸部１４１ｃと、からなり、小径部１４１ａに前記操作ハンドル１４０が回転可能且つ摺動可能な状態に装着されている。
【００２３】
［打力調節装置−調節部材］
前記調節部材１４２は、回転軸１４１の樹脂軸部１４１ｃの後端に固着されたプーリー１４２ａと、該プーリー１４２ａに一方の端部を巻回し他端を電動打球装置１３の前記牽引バネに連結したワイヤー１４２ｂと、からなり、回転軸１４１の回転でプーリー１４２ａを回転させ、ワイヤー１４２ｂを介して動力部材１８の前記牽引バネを伸縮させて打球部材１７の打力を増減させるようにしたものである。
【００２４】
［打力調節装置−回転断続手段］
前記回転断続手段１４３は、操作ハンドル１４０と回転軸１４１との間に設けたクラッチである。
すなわち、回転断続手段１４３は、例えば対向し合う一対の円盤の端面に三角、四角、台形などの爪１４３ａ，１４３ｂを放射状に突設し、該爪１４３ａ，１４３ｂを噛み合わせて軸方向に回転力を伝達する周知の噛み合いクラッチである。実施形態１では前記爪１４３ａ，１４３ｂが、回転軸１４１の樹脂軸部１４１ｃの前端面と、操作ハンドル１４０の軸部１４０ａの後端面のそれぞれに突設されている。一方、操作ハンドル１４０の軸部１４０ａの内部には、回転軸１４１の小径部１４１ａの周囲に円柱孔状のスプリング室１４３ｃが形成されており、そのスプリング室１４３ｃの後端部と前記小径部１４１ａの先端に固定した受板１４３ｄとの間にコイルスプリング１４３ｅが圧縮状態に装填されている。したがってコイルスプリング１４３ｅの弾性により操作ハンドル１４０が回転軸１４１の樹脂軸部１４１ｃに向けて付勢され、その付勢によって前記爪１４３ａ，１４３ｂ同士が確実に噛み合っている。
【００２５】
以上のように構成される打力調節装置１４は、通常図３、図４（ａ）に示したように、操作ハンドル１４０の軸部１４０ａの爪１４３ａと回転軸１４１の樹脂軸部１４１ｃの爪１４３ｂがコイルスプリング１４３ｅの付勢により噛み合った接続状態になっており、したがって操作ハンドル１４０の回転が回転軸１４１を介して調節部材１４２に伝達される。一方、この接続状態では、逆に調節部材１４２のプーリー１４２ａの回転が回転軸１４１を介して操作ハンドル１４０に伝達されるから、打球部材１７を打球方向に付勢する牽引バネの弾性がプーリー１４２ａと回転軸１４１を介して操作ハンドル１４０に作用し、その牽引バネの付勢により操作ハンドル１４０が遊技開始前において図１実線の初期停止位置にある。
【００２６】
この状態で操作ハンドル１４０の握り部１４０ｂを例えば右手の甲を上にしたいわゆる順手の格好で握ると、まず、図示しないタッチセンサーが遊技者を検知して電動打球装置１３が作動し、遊技球が遊技領域１０に打ち出される。そして、その状態から操作ハンドル１４０の回転角を適宜増減すると、その操作ハンドル１４０の回転が回転軸１４１を介して調節部材１４２のプーリー１４２ａに伝達され、該プーリー１４２ａの回転がワイヤー１４２ｂを介して動力部材１８の牽引バネに伝わって該牽引バネを伸縮させる。これにより打球部材１７の打力が調節されて、遊技領域１０の狙ったポイントに遊技球を打ち込むことができる。
また、遊技者が操作ハンドル１４０から手を離すと、前記タッチセンサーがそれを検知して電動打球装置１３が停止し、さらに打球部材１７を付勢する牽引バネの弾性によってプーリー１４２ａが回転して操作ハンドル１４０が図１実線の初期停止位置に自動的に戻る。
【００２７】
次に、操作ハンドル１４０の初期停止位置を変更する場合について説明する。
先ず、初期停止位置にある操作ハンドル１４０を図４（ｂ）のようにコイルスプリング１４３ｅの付勢に抗して遊技者側に引張り、爪１４３ａ，１４３ｂ同士を離して回転断続手段１４３を遮断状態に切り替える。こうして回転断続手段１４３を遮断状態にすると、操作ハンドル１４０が小径部１４１ａ上で空転してその回転が調節部材１４２のプーリー１４２ａに伝達されないから、その遮断状態で操作ハンドル１４０を図１二点鎖線のように任意量回転させても調節部材１４２は初期停止位置から動かない。したがって、その回転状態のまま操作ハンドル１４０を回転軸１４１の小径部１４１ａ上で摺動させて爪１４３ａ，１４３ｂ同士を係合させ、そうして回転断続手段１４３を接続状態に切り替えると、初期停止位置にある調節部材１４２と回転させた操作ハンドル１４０とが連結されるから、回転後の操作ハンドル１４０のその位置が新たな初期停止位置となる。
このように遊技者は、遊技に先立ち、操作ハンドル１４０の初期停止位置を適宜調節することで、操作ハンドル１４０の最適打力位置を自身が最もリラックスできる好みの姿勢で保持することが可能となり、遊技による腕の疲れを最小限に抑えることができる。
なお、前枠３側（例えば軸筒部２０ａの前端面）と操作ハンドル１４０の一方又は双方に、初期停止位置を基準とした回転角度を示す目盛りを設けておけば、操作ハンドル１４０の初期停止位置の変更やリセットが容易に行える。
【００２８】
［実施形態２］
図５，図６は実施形態２のパチンコ機１を示すものである。なお、実施形態２と実施形態１は、主として以下に説明する部分について相違するものであり、以下に説明のない実施形態２の部分については実施形態１と実質的に同一である。
【００２９】
［電動打球装置］
電動打球装置１３は、図３に示した前枠３後側下方のベース基板１６と、発射レール１１の発射位置１１ｓから遊技球を打ち出す打球部材１７と、該打球部材１７に打球動作を行わせる動力部材１８と、により概略構成され、さらに動力部材１８は、図５に示したように、打球部材１７の揺動軸１９に直結し且つ前記ベース基板１６に取り付けられたロータリーソレノイド１８ｃで形成されている。
【００３０】
この電動打球装置１３は、ロータリーソレノイド１８ｃに電圧が印加されていない状態で打球部材１７が図５破線のように傾倒位置にある。そして、この状態でロータリーソレノイド１８ｃに電圧を印加すると、図５二点鎖線のように瞬時に起立回動し、その回動で発射レール１１の発射位置１１ｓにある遊技球にハンマー頭部１７ｈが当たり、その衝撃で遊技球がガイドレール９に向けて打ち出される。
【００３１】
［打力調節装置］
実施形態２の打力調節装置１４は、操作ハンドル１４０が円盤型で外周囲に指掛片１４０ｃを突設したものである。また、回転軸１４１は、金属製の丸軸で前端が操作ハンドル１４０の円盤の中心に一体的に固着されており、一方、前枠３側のハンドル支持部材２０の軸筒部２０ａに回転可能に支持されて操作ハンドル１４０と一体に回転し得るようになっている。また、調節部材１４２は、前記ロータリーソレノイド１８ｃに印加するパルス状の電圧値を変更可能な可変抵抗器１４２ｃであり、前記ハンドル支持部材２０に固定的に支持された状態で前記回転軸１４１の後端に連結されている。
【００３２】
以上のように構成される打力調節装置１４は、操作ハンドル１４０を握って回転させることによりロータリーソレノイド１８ｃに印加される電圧値を任意に変更し、そうして打球部材１７の打力を自由に調節することができる。
なお、操作ハンドル１４０は、可変抵抗器１４２ｃに内蔵された図示しないゼンマイの付勢を回転軸１４１を介して受けており、その付勢によって初期停止位置に自動的に戻るようになっている。
【００３３】
［打力調節装置−回転断続手段］
実施形態２の回転断続手段１４３は、前記ハンドル支持部材２０を前枠３に対して回転可能に取り付けると共にそのハンドル支持部材２０の前枠３に対する回転／固定を択一的に選択して切り替え得る切替部材１４３ｆによって構成される。
【００３４】
［回転断続手段−ハンドル支持部材］
ハンドル支持部材２０は、図６に示したように、前枠３の円孔２１に自己の筒状基部２０ｂを遊嵌させて該前枠３に回転可能に支持された横向きカップ状の基部２０ｃと、該基部２０ｃに取り付けられた碗状カバー体２０ｄと、基部２０ｃの外周であって前枠３の前面に当接する位置にフランジ状に突設した歯車型の係合部１４３ｇと、からなり、前記基部２０ｃと碗状カバー体２０ｄの間に円盤型の操作ハンドル１４０を配設すると共に基部２０ｃの内部に設けた軸筒部２０ａに回転軸１４１を通し、そうして操作ハンドル１４０を回転可能に支持するものである。なお、調節部材１４２たる可変抵抗器１４２ｃは、基部２０ｃの筒状基部２０ｂの内部に固定的に支持されている。
【００３５】
［回転断続手段−切替部材］
前記切替部材１４３ｆは、図６に示したように、下端に中心軸１４３ｈを有し、上端にハンドル支持部材２０の前記係合部１４３ｇに係合可能な１又は２以上の爪１４３ｉを有する揺動板であって、前枠３の前面且つ前記円孔２１の直下に形成した凹部２２に前記中心軸１４３ｈを中心として図６二点鎖線のように揺動可能な状態に装着され、また、図示しないバネ材によって上端の爪１４３ｉがハンドル支持部材２０の係合部１４３ｇに係合し得るように付勢されている。
【００３６】
［回転断続手段−接続状態］
実施形態２の回転断続手段１４３の接続状態は、ハンドル支持部材２０の係合部１４３ｇに切替部材１４３ｆの爪１４３ｉを係合させた図６実線の状態であり、この接続状態では、切替部材１４３ｆを介してハンドル支持部材２０と前枠３とが連結されているため、前枠３に対してハンドル支持部材２０が回転しない。この接続状態で操作ハンドル１４０を回転させると、操作ハンドル１４０と一体に回転軸１４１が回転し、一方、可変抵抗器１４２ｃはハンドル支持部材２０に固定的に支持されているため、回転軸１４１の回転が可変抵抗器１４２ｃに伝達されて電動打球装置１３の打力が変更される。
【００３７】
［回転断続手段−遮断状態］
実施形態２の回転断続手段１４３の遮断状態は、上記の接続状態から切替部材１４３ｆを例えば指先で凹部２２内に押し込んだ図６二点鎖線の状態であり、この遮断状態では、切替部材１４３ｆの爪１４３ｉがハンドル支持部材２０の係合部１４３ｇから外れてハンドル支持部材２０と前枠３の連結が解除されるため、該ハンドル支持部材２０が前枠３の円孔２１内で回転可能になる。この状態で操作ハンドル１４０を回転させると、回転軸１４１はもちろん、ハンドル支持部材２０と、そのハンドル支持部材２０に固定的な可変抵抗器１４２ｃも一緒に回転する。そのため操作ハンドル１４０の回転が実質的に可変抵抗器１４２ｃに伝達されないから、操作ハンドル１４０を回しても電動打球装置１３の打力が変更されない。
【００３８】
実施形態２のパチンコ機１は以上のように構成されているため、操作ハンドル１４０が図５の初期停止位置にある状態で切替部材１４３ｆを凹部２２内に押し込み、そうして回転断続手段１４３を遮断状態にして操作ハンドル１４０と一緒にハンドル支持部材２０を回転させ、その回転状態のまま切替部材１４３ｆの押圧を解除して回転断続手段１４３を接続状態に切り替える。そうすると、回転後の操作ハンドル１４０のその位置が新たな初期停止位置となる。
【００３９】
以上本発明を実施形態１，２について説明したが、もちろん本発明は上記実施形態に限定されるものではない。例えば実施形態１，２は、パチンコ機を例に説明したが、それ以外にも雀球機、アレンジボール機等、遊技球を使用して遊技を行う弾球遊技機全般に適用可能である。
また、実施形態１，２の操作ハンドル１４０やハンドル支持部材２０はあくまでも例示であり、例えば実施形態１の操作ハンドル１４０と実施形態２の操作ハンドル１４０を相互に置き換えたり、それ以外の操作ハンドル１４０やハンドル支持部材２０を使用することも可能である。
【符号の説明】
【００４０】
１…パチンコ機（弾球遊技機）
２…外枠（固定部材）
３…前枠（前面部材）
１０…遊技領域
１１ｓ…発射位置
１３…電動打球装置
１４…打力調節装置
１４０…操作ハンドル
１４１…回転軸
１４２…調節部材
１４３…回転断続手段
１４３ｆ…切替部材
１７…打球部材
１８…動力部材
２０…ハンドル支持部材
【図１】
2014069005.tif 000003
【図２】
2014069005.tif 000004
【図３】
2014069005.tif 000005
【図４】
2014069005.tif 000006
【図５】
2014069005.tif 000007
【図６】
2014069005.tif 000008